(57)【特許請求の範囲】
【請求項１】
円盤状の光記録媒体であって、
トラックに沿って主情報が記録され、
半径方向の一定距離毎に、前記トラックが半径を横切る数が互いに異なる、前記トラックのピッチが密な領域及び粗な領域のいずれか一方が選択的に形成されることによって付加情報が記録され、
前記トラックのウォブリングにより他の情報が記録されている
光記録媒体。
【請求項２】
前記付加情報は、前記主情報を再生するための情報である
請求項１に記載の光記録媒体。
【請求項３】
トラックに沿って記録された主情報以外の付加情報が記録された円盤状の光記録媒体の製造方法であって、
トラックに沿って前記主情報が記録され、半径方向の一定距離毎に、前記トラックが半径を横切る数が互いに異なる、前記トラックのピッチが密な領域及び粗な領域のいずれか一方が選択的に形成されることにより前記付加情報が記録され、前記トラックのウォブリングにより他の情報が記録されている光記録媒体原盤を作製し、
前記光記録媒体原盤を用いて前記光記録媒体を製造する
光記録媒体の製造方法。
【請求項４】
前記光記録媒体原盤の作製時に、前記主情報の記録を行いながら前記付加情報の記録を行う
請求項３に記載の光記録媒体の製造方法。
【請求項５】
主情報を記録するトラックの間隔を変調することによって付加情報が記録され、前記トラックのウォブリングにより他の情報が記録された光記録媒体の再生方法であって、
前記主情報を光学的に読み取る読取手段を前記光記録媒体のトラックの間隔方向に一定速度で移動させて前記トラックのピッチを１周期とするトラッキング誤差信号を生成し、
一定時間毎の、前記トラッキング誤差信号の数のカウントに基づいて、前記付加情報を再生する
再生方法。
【請求項６】
回転する前記光記録媒体のトラックに追従させた前記読取手段の読取信号および再生した前記付加情報に基づいて、前記主情報を再生する
請求項５に記載の再生方法。
【請求項７】
主情報を記録するトラックの間隔を変調することによって付加情報が記録され、前記トラックのウォブリングにより他の情報が記録された光記録媒体の再生装置であって、
回転する前記光記録媒体のトラックに沿って記録された主情報を光学的に読み取る読取手段と、
前記光記録媒体のトラックの間隔方向に前記読取手段を移動させ位置決めする移動位置決め手段と、
前記読取手段を前記トラックの間隔方向に一定速度で移動させて得られる前記トラックのピッチを１周期とするトラッキング誤差信号の、一定時間毎の数のカウントに基づいて、前記付加情報を再生する再生手段と
を有する再生装置。
【請求項８】
円盤状の、主情報を記録するトラックのウォブリングにより他の情報が記録された光記録媒体を複製するための原盤を製造するための光記録媒体原盤の製造装置であって、
主情報に基づいて変調された光線の照射によって前記原盤にトラックを形成して前記主情報を書き込む書込手段と、
前記原盤に対して書込手段を半径方向に移動位置決めする移動位置決め手段と、
前記原盤を回転させる回転手段と、
付加情報に基づいて、前記原盤の半径方向の一定距離毎に、前記トラックが半径を横切る数が互いに異なる、前記トラックのピッチが密な領域及び粗な領域のいずれか一方が選択的に形成されるように、前記書込手段の回転する前記原盤に対する送り速度を変調する変調手段と
を有する光記録媒体原盤の製造装置。
【発明の詳細な説明】
【０００１】
【発明の属する技術分野】
本発明は、円盤状の光記録媒体および当該光記録媒体からの情報の再生方法に関する。
【０００２】
【従来の技術】
ＣＤ(compact disc)やＤＶＤ(digital versatile disc)等の円盤状の光記録媒体においては、これらの光記録媒体に記録された音声情報や画像情報等のビットデータを再生し、このビットデータを用いて光記録媒体を複製することが容易に可能である。このため、光記録媒体の複製を防止する技術が要求されている。
【０００３】
【発明が解決しようとする課題】
光記録媒体の複製を防止する方法としては、たとえば、プリピットと呼ばれる光記録媒体への実際の書き込みデータについて変調を加える方法が知られている。
しかしながら、上記の方法においては、信号データを生成するために特別な、あるいは、高速な信号処理を必要する。また、処理のための処理回路の規模も大きくなるという不利益が存在した。
また、他の光記録媒体の複製を防止する方法としては、たとえば、特開平１０−２６９７５０号公報に開示されているように、光記録媒体の特定領域（ＴＯＣ：Table of Contents ）領域の内周に専用の再生装置でのみ再生可能な特殊フォーマットの付加情報を記録した領域を形成する方法が知られている。
しかしながら、この方法では、付加情報を記録するための新たな領域を光記録媒体に設けなければならず、音声情報や画像情報等の主情報を記録できる容量を減少させる等の不利益は存在する。
【０００４】
本発明は、上述した従来の課題に鑑みてなされたものであって、その目的は、音声情報や画像情報等の主情報以外の付加情報を光記録媒体に特別な領域を設けることなく記録した光記録媒体を提供することにある。
また、本発明の他の目的は、上記した光記録媒体に記録された付加情報を再生可能な再生方法および再生装置を提供することにある。
さらに、本発明の他の目的は、上記した光記録媒体の製造方法および当該光記録媒体を製造するための光記録媒体原盤の製造装置を提供することにある。
【０００５】
【課題を解決するための手段】
本発明の光記録媒体は、円盤状の光記録媒体であって、トラックの間隔の変調によって情報が記録されている。
【０００６】
好適には、本発明の光記録媒体は、前記トラックに沿って主情報が記録され、前記トラックの間隔の変調によって付加情報が記録されている。
【０００７】
本発明の光記録媒体の製造方法は、トラックに沿って記録された主情報以外の付加情報が記録された円盤状の光記録媒体の製造方法であって、トラックに沿って前記主情報が記録されるとともに、当該トラックの間隔を変調することにより前記付加情報を記録した光記録媒体原盤を作製し、前記光記録媒体原盤を用いて前記光記録媒体を製造する。
【０００８】
本発明の再生方法は、主情報を記録するトラックの間隔を変調することによって付加情報が記録された光記録媒体の再生方法であって、前記主情報を光学的に読み取る読取手段を前記光記録媒体のトラックの間隔方向に一定速度で移動させてトラッキング誤差信号を生成し、前記トラッキング誤差信号に基づいて、前記付加情報を再生する。
【０００９】
本発明の再生装置は、主情報を記録するトラックの間隔を変調することによって付加情報が記録された光記録媒体の再生装置であって、回転する前記光記録媒体のトラックに沿って記録された前記主情報を光学的に読み取る読取手段と、前記光記録媒体のトラックの間隔方向に前記読取手段を移動させ位置決めする移動位置決め手段と、前記読取手段を前記トラックの間隔方向に移動させて得られるトラッキング誤差信号に基づいて、前記付加情報を再生する再生手段とを有する。
【００１０】
本発明の光記録媒体原盤の製造装置は、円盤状の光記録媒体を複製するための原盤を製造するための光記録媒体原盤の製造装置であって、主情報に基づいて変調された光線の照射によって前記原盤に当該主情報を書き込む書込手段と、前記原盤に対して書込手段を半径方向に移動位置決めする移動位置決め手段と、前記原盤を回転させる回転手段と、付加情報に基づいて、前記書込手段の回転する前記原盤に対する送り速度を変調する変調手段とを有する。
【００１１】
本発明では、光記録媒体のトラックに沿って主情報を記録するだけではなく、トラックの間隔の変調によって付加情報を記録する。
この光記録媒体に記録された情報のうち主情報は、当該光記録媒体を回転させ、読取手段を移動位置決め手段によって所望のトラックに追従させることにより読み取られる。
一方、付加情報は、読取手段を移動位置決め手段によってトラックの間隔方向に移動させ、トラッキング誤差信号を生成し、トラッキング誤差信号に基づいて再生される。
【００１２】
【発明の実施の形態】
以下、本発明の実施の形態について図面を参照して説明する。
図１は、本発明の光記録媒体の一実施形態に係る光ディスクの基本構造を説明するための図である。
光ディスクＤは、たとえば、ポリカーボネート等の透明な樹脂製の円盤状の基板上に反射層および保護層等が形成されたものである。
光ディスクＤには、円周方向に沿ってスパイラル状にトラックＴＲが存在している。
図２に示すように、トラックＴＲは、長さが異なる複数のピットＰｔの列によって構成されており、このピットＰｔの列によって音声や画像をディジタル化した情報が記録されている。
【００１３】
本実施形態に係る光ディスクＤでは、図２に示す隣接するトラックＴＲの間隔（以下、トラックピッチＴＲＰという。）を変調することにより、上記の音声や画像等の主情報以外の付加情報を光ディスクＤに記録している。
以下、この付加情報の記録構造について図３を参照して説明する。
【００１４】
図３（ｂ）は、図３（ａ）に示す光ディスクＤの半径方向に沿った任意の領域Ｒｓを拡大した図である。
図３（ｂ）に示すように、光ディスクＤは、半径方向に沿ってトラックピッチＴＲＰH を有するトラックピッチが密な領域ＤH と、トラックピッチＴＲＰL を有するトラックピッチが粗な領域ＤL とを有している。すなわち、光ディスクＤのトラックＴＲは、比較的間隔の狭いトラックピッチＴＲＰH の領域と比較的間隔の広いトラックピッチＴＲＰの領域とから構成されている。
密な領域ＤH は、光ディスクＤの半径方向における所定距離Ｌ内に所定数（図３（ｂ）では７本）のトラックＴＲを有している。
粗な領域ＤL は、光ディスクＤの半径方向における所定距離Ｌ内に所定数（図３（ｂ）では５本）のトラックＴＲを有している。
【００１５】
図３（ｃ）は、トラックピッチＴＲＰの変調によって記録された付加情報Ａinf の一例を示す図である。
図３（ｃ）に示すように、ローレベルＬのデータを密な領域ＤH に対応付け、ハイレベルＨのデータを粗な領域ＤL に対応付けることにより、ディジタル化された情報である付加情報Ａinf をトラックピッチＴＲＰの変調によって光ディスクＤに記録することができる。
【００１６】
光ディスクの製造方法
次に、上記した光ディスクＤの製造方法について説明する。
ここで、図４は光ディスクＤを製造するための原盤を作製するためのカッティング装置の構成を示す図である。なお、図４に示すカッティング装置は本発明の光記録媒体原盤の製造装置の一実施態様である。
【００１７】
カッティング装置１０は、光源１１と、光変調器１２と、ミラー１３と、対物レンズ１４と、アクチュエータ１５と、回転テーブル２３と、スピンドルモータ２４と、スライダ２５と、複数のドライバ２６，２７および２８と、システムコントローラ３１と、変調信号発生器３０とを有している。
【００１８】
光源１１は、回転テーブル２３上に置かれた表面にフォトレジスト２１が塗布されたガラス基板２０からなる原盤２２に照射するためのレーザ光Ｌａを出力する。
この光源１１には、たとえば、ＫｒガスレーザやＨｅ−Ｃｄレーザが使用される。
【００１９】
光変調器１２は、光源１１から出力されるレーザ光Ｌａを変調信号発生器３０から入力される主情報変調信号３０ｓ１に応じて変調して出力する。変調信号３０ｓ１は、記録すべき主情報Ｍinf に応じて光変調器１２から出力されるレーザ光Ｌａをオン、オフするための信号である。光変調器１２には、電気光学変調器や音響光学変調器が使用される。
【００２０】
ミラー１３は、光変調器１２から出力されたレーザ光Ｌａを回転テーブル２３に保持されたガラス基板２０に導く。
【００２１】
対物レンズ１４は、ミラー１３から反射したレーザ光Ｌａをガラス基板２０上に集光する。
アクチュエータ１５は、対物レンズ１４をガラス基板２０に対して垂直な方向に移動させる。このアクチュエータ１５は、対物レンズ１４の焦点位置がガラス基板２０に対して一定となるようにシステムコントローラ３１によって制御される。
【００２２】
回転テーブル２３は、ガラス基板２０を保持し、回転自在に支持されている。
スピンドルモータ２４は、回転テーブル２３を回転させる。このスピンドルモータ２４の駆動により、ガラス基板２０が回転する。
【００２３】
スライダ２５は、回転テーブル２３を矢印Ａ１およびＡ２で示す方向に移動位置決めする。このスライダ２５による回転テーブル２３の移動により、回転テーブル２３に保持されたガラス基板２０は、対物レンズ１４に対して移動する。
【００２４】
ドライバ２６は、システムコントローラ３１からの制御指令３１ｓ１に従ってアクチュエータ１５を駆動する駆動電流を供給する。
ドライバ２７は、システムコントローラ３１からの制御指令３１ｓ２に従ってスピンドルモータ２４を駆動する駆動電流を供給する。
ドライバ２８は、システムコントローラ３１からの制御指令３１ｓ３に従ってスライダ２５に内蔵されたモータを駆動する駆動電流を供給する。
【００２５】
システムコントローラ３１は、アクチュエータ１５、スピンドルモータ２４およびスライダ２５の動作を制御する。
また、後述するように、システムコントローラ３１は、変調信号発生器３０から入力される付加情報変調信号３０ｓ２を用いてスライダ２５の送り速度を制御する。
【００２６】
変調信号発生器３０は、記録すべき主情報Ｍinf に基づいて主情報変調信号３０ｓ１を生成するとともに、記録すべき付加情報Ａinf に基づいて付加情報変調信号３０ｓ２を生成する。
主情報変調信号３０ｓ１は、光変調器１２の出力をオン、オフさせる信号である。
付加情報変調信号３０ｓ２は、スライダ２５の送り速度を変調させる信号である。
【００２７】
次に、上記構成のカッティング装置１０を用いた原盤の作製手順の一例について図５を参照して説明する。
まず、原盤に用いるガラス基板２０を洗浄する（プロセスＰＲ１）。ガラス基板２０は、円盤状であり、表面が平坦になるように研磨されている。
次いで、洗浄されたガラス基板２０の表面に、たとえば、回転塗布装置を用いてフォトレジスト２１を形成する（プロセスＰＲ２）。このフォトレジスト２１が表面に塗布されたガラス基板２０が原盤２２となる。
【００２８】
次いで、上記のカッティング装置１０により、フォトレジスト２１にレーザ光を露光することにより、主情報Ｍinf および付加情報Ａinf を記録する（プロセスＰＲ３）。
システムコントローラ３１は、スピンドルモータ２４を回転させ、スライダ２５を一定の方向に移動させることにより、光変調器１２によって変調されたレーザ光Ｌａがフォトレジスト２１にらせん状に照射され、主情報Ｍinf の書き込みが行われ、かつ、トラックが形成される。
【００２９】
このとき、システムコントローラ３１は、レーザ光Ｌａの照射位置におけるガラス基板２０の線速度が一定となるように、スピンドルモータ２４を制御しながら、付加情報Ａinf に基づいてスライダ２５の送り速度を変調する。これにより、フォトレジスト２１に形成されるトラックピッチが付加情報Ａinf に応じて変化する。
【００３０】
上記の手順により、フォトレジスト２１にはトラックに沿って主情報Ｍinf が記録されていくとともに、トラックピッチの変調により付加情報Ａinf が記録されていく。
【００３１】
フォトレジスト２１へのレーザ光Ｌａの露光が完了したのち、露光されたフォトレジスト２１の現像を行う（プロセスＰＲ４）。フォトレジスト２１の現像により、フォトレジスト２１にはピット列が形成される。
【００３２】
フォトレジスト２１の現像後、フォトレジスト２１上に導電膜を形成する（プロセスＰＲ５）。この導電膜には、たとえば、銀やニッケル等の材料が用いられる。
【００３３】
次いで、フォトレジスト２１上の導電膜を陰極、ニッケル製のチップを陽極として、フォトレジスト２１上に導電膜を介してにニッケル層を電鋳によりめっきする（プロセスＰＲ６）。これにより、ニッケルスタンパが得られ、光ディスクＤを複製するための原盤の作製工程が終了する。このニッケルスタンパには、主情報Ｍinf および付加情報Ａinf が記録されている。
【００３４】
次に、上記のようにして得られたニッケルスタンパを用いた光ディスクＤの複製の手順の一例について図６を参照して説明する。
まず、上記のニッケルスタンパを射出成形機の金型内に設置し、当該金型内に加熱溶融したポリカーボネート等の透明な樹脂を射出、充填する（プロセスＰＲ１１）。これにより、光ディスクＤを構成する円盤状の基板が成形される。この基板には、主情報Ｍinf および付加情報Ａinf が記録されたニッケルスタンパの凹凸が転写される。
【００３５】
次いで、上記の基板のニッケルスタンパの凹凸が転写された表面に反射膜を形成する（プロセスＰＲ１２）。この反射膜は、上記の透明な基板を透過した光を反射させるためのものであり、アルミニウム等の金属で形成される。
【００３６】
次いで、反射膜が形成された基板上に樹脂製の保護膜を形成する（プロセスＰＲ１３）。以上の工程により、光ディスクＤが製造される。
【００３７】
再生方法
次に、上記構成の光ディスクＤに記録された情報の再生方法について説明する。
ここで、図７は光ディスクＤに記録された情報を再生するための再生装置の構成を示す図である。
図７に示す再生装置６０は、スピンドルモータ６１と、光学ピックアップ６２と、ＲＦ信号処理回路７０と、復調回路７１と、インターフェース回路７２と、付加情報復調回路７３と、サーボコントローラ７４と、システムコントローラ７５と、ドライバ回路７６と、コンピュータ８０とを有する。
【００３８】
スピンドルモータ６１は、ドライバ回路７６から駆動電流が供給され、光ディスクＤを回転させる。このスピンドルモータ６１は、システムコントローラ７５からサーボコントローラ７４を介して与えられる制御指令によって所望の回転数に制御される。
【００３９】
光学ピックアップ６２は、レーザ光Ｌｂを出力するレーザダイオード６５と、このレーザダイオード６５から出力されるレーザ光Ｌｂを光ディスクＤ上にスポットとして集束させる対物レンズ６３と、光ディスクＤからのレーザ光Ｌｂの反射光の進行方向を変更する偏向ビームスプリッタ６４と、この反射光を受光する光検出器６６とを備えている。
【００４０】
レーザダイオード６５は、たとえば、赤色レーザ、青色レーザ等のレーザ光を偏向ビームスプリッタ６４および対物レンズ６３を介して光ディスクＤに出射する。偏向ビームスプリッタ６４は、光ディスクＤからの反射光を光検出器６６に導く。
【００４１】
光検出器６６は、たとえば、光ディスクＤのトラック上に照射されたレーザ光の反射光によって形成されるビームスポットを受光する４分割された受光面を備えている。これらの受光面の分割方向は、トラックに沿った方向と、トラックに直交する方向である。各受光面は、それぞれ受光した光の光量に応じた電流を発生し、ＲＦ信号処理回路７０に出力する。
【００４２】
光学ピックアップ６２は、図７において矢印Ａ１およびＡ２で示す光ディスクＤの半径方向に移動可能に図示しない支持機構によって支持されており、トラッキングアクチュエータ６７およびスレッドアクチュエータ６８によって駆動される。
スレッドアクチュエータ６８は、ドライバ回路７６から供給される駆動電流によって駆動され、光学ピックアップ６２を光ディスクＤの半径方向に移動し位置決めする。
トラッキングアクチュエータ６７は、ドライバ回路７６から供給される駆動電流によって駆動され、スレッドアクチュエータ６８によって位置決めされた光学ピックアップ６２をさらに所望のトラックに移動させる。
【００４３】
また、光学ピックアップ６２は、図７において矢印Ｂ１およびＢ２で示すフォーカス方向に移動可能に支持されており、フォーカスアクチュエータ６９によってフォーカス方向Ｂ１およびＢ２に移動し位置決めされる。
【００４４】
ＲＦ信号処理回路７０は、光検出器６６の検出した検出信号が供給される。このＲＦ信号処理回路７０は、光検出器６６の検出信号を演算することによって、再生信号ＲＦ、トラッキングエラー信号ＴＥおよびフォーカスエラー信号ＦＥを生成する。
再生信号ＲＦは復調回路７１に供給され、トラッキングエラー信号ＴＥおよびフォーカスエラー信号ＦＥはサーボコントローラ７４に供給される。また、トラッキングエラー信号ＴＥは付加情報復調回路７３にも供給される。
【００４５】
再生信号ＲＦは、光ディスクＤのトラックに沿って形成されたピット列によって生成された主情報Ｍinf に基づく信号である。
トラッキングエラー信号ＴＥは、光学ピックアップ６２の目標トラックの中心からの変位に応じた値の信号である。このトラッキングエラー信号ＴＥは、光検出器６６の検出信号を用いて所定の演算を行うことにより得られる。また、トラッキングエラー信号ＴＥは、各トラック中心において零の値をもち、トラックピッチを一周期とする正弦波信号である。
フォーカスエラー信号ＦＥは光ディスクＤに対する対物レンズ６３のフォーカス方向Ｂ１およびＢ２の距離に応じた信号であり、所望の位置からの誤差信号である。
【００４６】
復調回路７１は、再生信号ＲＦが供給され、ＥＭＦ復調や誤り訂正等の各種処理により主情報Ｍinf が再生され、この主情報をインターフェース回路７２に出力する。
【００４７】
インターフェース回路７２は、復調回路７１で再生された主情報Ｍinf をコンピュータ８０に出力する。
【００４８】
付加情報復調回路７３は、ＲＦ信号処理回路７０からトラッキングエラー信号ＴＥが供給され、このトラッキングエラー信号ＴＥに基づいて、付加情報Ａinfを復調し、この付加情報Ａinf をシステムコントローラ７５に出力する。なお、付加情報復調回路７３の具体的な復調処理については後述する。
【００４９】
サーボコントローラ７４は、トラッキングアクチュエータ６７、スレッドアクチュエータ６８およびフォーカスアクチュエータ６９をフィードバックされるトラッキングエラー信号ＴＥおよびフォーカスエラー信号ＦＥに基づいて、サーボ制御する。
【００５０】
システムコントローラ７５は、再生装置６０を総合的に制御する。具体的には、トラッキングアクチュエータ６７、スレッドアクチュエータ６８、フォーカスアクチュエータ６９およびスピンドルモータ６１に対する制御指令をサーボコントローラ７４に与えたり、復調回路７１、インターフェース回路７２、付加情報復調回路７３等の各種回路の動作の制御等を行う。
【００５１】
ドライバ回路７６は、サーボコントローラ７４からの制御信号に基づいて、トラッキングアクチュエータ６７、スレッドアクチュエータ６８、フォーカスアクチュエータ６９およびスピンドルモータ６１を駆動する駆動電流を供給する。
【００５２】
コンピュータ８０は、復調回路７１によって再生された主情報Ｍinf を受信し、これを、たとえば、表示装置や音声出力装置等の出力装置に出力する。
【００５３】
次に、上記構成の再生装置６０を用いた光ディスクＤに記録された情報の再生手順の一例について、図８および図９に示すフローチャートを参照して説明する。
【００５４】
付加情報の再生手順
まず、図９に示すように、スレッドアクチュエータ６８を駆動し、光学ピックアップ６２を光ディスクＤの最内周または最外周のいずれかに位置決めする（ステップＳ１）。
【００５５】
次いで、光学ピックアップ６２からレーザ光を光ディスクＤに向けて照射するとともに、レッドアクチュエータ６８を駆動して光学ピックアップ６２を一定の送り速度で光ディスクＤの半径方向に沿って光ディスクＤの最内周または最外周に向けて移動させる（ステップＳ２）。なお、トラッキングサーボはかけない状態で光学ピックアップ６２を移動させる。
【００５６】
光学ピックアップ６２を一定の送り速度で光ディスクＤの半径方向に移動させると、光学ピックアップ６２は光ディスクＤの複数のトラックＴＲを横切る。
ここで、光学ピックアップ６２が図１０（ａ）に示す光ディスクＤの任意の領域Ｒｓを通過する場合を考える。
図１０（ｂ）は、領域Ｒｓを拡大した図である。上述したように、光ディスクＤ半径方向に沿ってトラックピッチＴＲＰH を有するトラックピッチが密な領域ＤH と、トラックピッチＴＲＰL を有するトラックピッチが粗な領域ＤL とを有している。
【００５７】
光学ピックアップ６２が図１０（ｂ）に示す光ディスクＤの半径方向Ｒ１またはＲ２の向きに一定の送り速度で移動すると、光学ピックアップ６２の光検出器６６の検出信号に基づいてトラッキングエラー信号ＴＥが生成される（ステップＳ３）。このトラッキングエラー信号ＴＥは、たとえば、図１０（ｃ）に示すものとなる。
【００５８】
図１０（ｃ）に示すトラッキングエラー信号ＴＥは、トラックピッチＴＲＰHまたはトラックピッチＴＲＰL を一周期とする正弦波信号となる。このトラッキングエラー信号ＴＥは、図１０（ｄ）に示す付加情報Ａinf をＦＭ変調した信号と等価である。
この付加情報Ａinf をＦＭ変調したものと等価なトラッキングエラー信号ＴＥは付加情報復調回路７３において、復調される（ステップＳ４）。
【００５９】
付加情報復調回路７３は、トラッキングエラー信号ＴＥをＦＭ復調することにより、図１０（ｄ）に示す付加情報Ａinf を再生する。また、付加情報復調回路７３において、トラッキングエラー信号ＴＥの周期を測定することにより、付加情報Ａinf を再生することも可能である。トラッキングエラー信号ＴＥの周期の測定は、一定時間毎にサンプルされるトラッキングエラー信号ＴＥの数をカウントすることにより行なうことができる。
【００６０】
付加情報復調回路７３において再生された付加情報Ａinf は、システムコントローラ７５に逐次入力される。
上記の処理は、光学ピックアップ６２が光ディスクＤの半径方向に移動を開始して、光ディスクＤの最内周または最外周に到達するまで行われ（ステップＳ５）、光ディスクＤの最内周または最外周に到達すると光学ピックアップ６２を停止させる（ステップＳ６）。
【００６１】
以上の手順により、光ディスクＤにトラックピッチの変調によって記録された付加情報Ａinf の再生が行われる。
【００６２】
主情報の再生手順
次に、主情報Ｍinf の再生手順の一例について説明する。
図９に示すように、スピンドルモータ６１を回転させるとともに、スレッドアクチュエータ６８を駆動して光学ピックアップ６２を回転する光ディスクＤの所望のトラックに移動させるとともに、光学ピックアップ６２から光ディスクＤに向けてレーザ光を照射する（ステップＳ１１）。
【００６３】
次いで、フォーカスサーボをオンする（ステップＳ１２）。
フォーカスサーボをオンし、光学ピックアップ６２が光ディスクＤから所定の距離に位置することを確認したのち（ステップＳ１３）、トラッキングサーボをオンする（ステップＳ１４）。
【００６４】
トラッキングサーボをオンし、光学ピックアップ６２が所望のトラックに追従するように制御されたことを確認すると（ステップＳ１５）、光ディスクＤのトラックに沿って記録された主情報Ｍinf の再生動作が開始される（ステップＳ１６）。
光学ピックアップ６２の検出信号に基づいて、ＲＦ信号処理回路７０および復調回路７１により主情報Ｍinf が再生され、インターフェース回路７２を通じてコンピュータ８０に送られる。
再生装置６０は再生を終了する信号が入力されると（ステップＳ１７）、再生動作を終了する。
【００６５】
次に、上記した再生装置６０により再生した付加情報Ａinf について説明する。
付加情報Ａinf の内容は特に限定されないが、たとえば、主情報Ｍinf を暗号化するための鍵情報とすることができる。付加情報Ａinf を鍵情報とした場合には、この付加情報Ａinf がなければ主情報Ｍinf を解読することができないように再生装置６０を構成しておけば、光ディスクＤの複製防止が可能となる。すなわち、光ディスクＤのトラックに沿ってピット列により記録された主情報Ｍinfを読み出したとしても、鍵情報である付加情報Ａinf がなければ主情報Ｍinf を解読できない構成にしておけば、ピット列をそのまま複製しても主情報Ｍinf を解読できなくすることができる。
【００６６】
また、付加情報Ａinf は、コピープロテクト技術以外にも使用可能である。たとえば、光ディスクＤの仕様を規定するＩＤや、製造番号等の各種の情報に用いることができる。
【００６７】
以上のように、本実施形態によれば、光ディスクＤに特別の記憶領域を設けることなく、主情報Ｍinf とともに付加情報Ａinf を記録することができる。
また、光ディスクＤに記録された付加情報Ａinf は、主情報Ｍinf の再生手順とは異なる再生手順により再生する必要があるので、付加情報Ａinf を再生する機能のない再生装置では付加情報Ａinf の内容を特定することができない。このため、付加情報を主情報を解読するための鍵情報等としてとして用いれば、いわゆるプリレコーデットメディアの複製防止が可能となる。
また、既存の再生装置にトラッキングエラーの周期を検出する回路またはソフトウエアを追加するだけで付加情報Ａinf の再生が可能であるため、処理に時間を要したり、処理回路が大規模になることがなく、実施が容易に可能である。
【００６８】
本発明は上述した実施形態に限定されない。
上述した実施形態では、光ディスクＤが予めトラックに沿って主情報が記録されたプリレコーデットメディアと呼ばれる読み出し専用の光記録媒体のトラックピッチを変調することにより付加情報を記録する場合について説明した。
本発明は、たとえば、ＣＤ−Ｒ(CD-Recordable) 、ＣＤ−ＲＷ(CD-ReWritable) 、ＤＶＤ−Ｒ(DVD-Recordable)等のデータの追記や書き換えが可能な光記録媒体にも適用可能である。具体的には、ＣＤ−ＲやＣＤ−ＲＷがもつトラックを構成する案内溝の間隔を変調することにより付加情報を記録可能である。
【００６９】
また、ＣＤ−ＲやＣＤ−ＲＷ等の光記録媒体は、たとえば、図１１に示すように、基板３００上に形成された案内溝３０１を有している。この案内溝３０１はトラックを構成しており、案内溝３０１をウォブリング（蛇行）させることにより、制御情報等のウォブル情報を記録したものが知られている。
このような光記録媒体の案内溝３０１の間隔を本発明の技術により変調することにより、ウォブル情報に加えてさらに付加情報を記録することが可能である。たとえば、ウォブル情報およびトラックピッチの変調による付加情報を組み合わせることにより、さらに高度なコピープロテクション技術を実現可能である。
【００７０】
【発明の効果】
本発明によれば、音声情報や画像情報等の主情報以外の付加情報を光記録媒体に特別な領域を設けることなく記録可能となる。
また、本発明によれば、付加情報を主情報の暗号化の鍵情報として用いることにより、光記録媒体の複製防止が可能となる。
【図面の簡単な説明】
【図１】本発明の光記録媒体の一実施形態に係る光ディスクの基本構造を説明するための図である。
【図２】トラックＴＲに沿って記録されたデータの一形態を説明するための図である。
【図３】本発明の一実施形態に係る光ディスクにおける付加情報の記録構造を説明するための図である。
【図４】光ディスクＤを製造するための原盤を作製するためのカッティング装置の構成を示す図である。
【図５】カッティング装置１０を用いた原盤の作製手順の一例を説明するための工程図である。
【図６】ニッケルスタンパを用いた光ディスクＤの複製の手順の一例を説明するための工程図である。
【図７】光ディスクＤに記録された情報を再生するための再生装置の構成を示す図である。
【図８】再生装置６０を用いた光ディスクＤに記録された付加情報の再生手順の一例を説明するためのフローチャートである。
【図９】再生装置６０を用いた光ディスクＤに記録された主情報の再生手順の一例を説明するためのフローチャートである。
【図１０】付加情報の再生原理を説明するための図である。
【図１１】ウォブル情報をもつ光記録媒体の構造の一例を示す斜視図である。
【符号の説明】
１０…カッティング装置、１１…光源、１２…光変調器、１３…ミラー、１４…対物レンズ、１５…アクチュエータ、２３…回転テーブル、２４…スピンドルモータ、２５…スライダ、２６，２７，２８…ドライバ、３１…システムコントローラ３１、３０…変調信号発生器、６０…再生装置、６１…スピンドルモータ、６２…光学ピックアップ、７０…ＲＦ信号処理回路、７１…復調回路７１、７２…インターフェース回路、７３…付加情報復調回路、７４…サーボコントローラ、７５…システムコントローラ、７６…ドライバ回路、８０…コンピュータ、Ｄ…光ディスク、ＴＲ…トラック、ＴＲＰ…トラックピッチ。
【図１】
0004224964.tif 000002
【図２】
0004224964.tif 000003
【図３】
0004224964.tif 000004
【図４】
0004224964.tif 000005
【図５】
0004224964.tif 000006
【図６】
0004224964.tif 000007
【図７】
0004224964.tif 000008
【図８】
0004224964.tif 000009
【図９】
0004224964.tif 000010
【図１０】
0004224964.tif 000011
【図１１】
0004224964.tif 000012